(57)【要約】【課題】本発明は、低温時における動画表示を改善し、どの温度領域においても最適な動画表示が可能な液晶表示装置を提供することを目的とする。【解決手段】本発明による液晶表示装置は、液晶パネル１の前画像のフレームデータを記憶するデータ記憶回路５と、データ記憶回路５に記憶されているフレームデータと液晶パネル１に表示する次画像の入力データ７とを比較し、液晶パネル１に対してオーバードライブ出力するオーバードライブ計算回路１０とを備える液晶表示装置であって、オーバードライブ出力は、複数のフレーム期間にわたって行われることを特徴とする。【選択図】図２
2008158472.tif 000002
【特許請求の範囲】
【請求項１】
液晶パネルの前画像のフレームデータを記憶するデータ記憶回路と、
前記データ記憶回路に記憶されているフレームデータと前記液晶パネルに表示する次画像の入力データとを比較し、前記液晶パネルに対してオーバードライブ出力するオーバードライブ計算回路と、
を備える液晶表示装置において、
前記オーバードライブ出力は、複数のフレーム期間にわたって行われることを特徴とする、液晶表示装置。
【請求項２】
前記オーバードライブ計算回路は、目標階調に達するために複数のフレーム期間にわたってオーバードライブする機能を有することを特徴とする、請求項１に記載の液晶表示装置。
【請求項３】
前記フレームデータの奇数ラインおよび偶数ラインの各々に対応する前記データ記憶回路の領域に別のフレームのフレームデータを記憶させることによって、複数のフレーム期間にわたるオーバードライブが実行可能であることを特徴とする、請求項１または請求項２に記載の液晶表示装置。
【請求項４】
前記フレームデータの奇数フレームまたは偶数フレームのいずれかを前記データ記憶回路に記憶させて複数のフレーム期間にわたって保持することによって、複数のフレーム期間にわたるオーバードライブが実行可能であることを特徴とする、請求項１または請求項２に記載の液晶表示装置。
【請求項５】
前記液晶パネル付近に配置して前記液晶パネル周辺の温度を検出する温度検出回路と、  前記温度検出回路から受信した信号に基づいてオーバードライブ係数を切り替えるオーバードライブ係数選択回路と、
をさらに備えることを特徴とする、請求項１ないし請求項４のいずれか一つに記載の液晶表示装置。
【請求項６】
前記データ記憶回路は、複数フレームに対し１フレーム容量分備えられることを特徴とする、請求項１に記載の液晶表示装置。
【請求項７】
前記データ記憶回路は、複数フレームに対し複数フレーム容量分備えられることを特徴とする、請求項１に記載の液晶表示装置。
【発明の詳細な説明】
【技術分野】
【０００１】
本発明は液晶表示装置に関し、特に、液晶表示装置の駆動回路に関する。
【背景技術】
【０００２】
液晶表示装置では、動画を表示する際に尾引きや残像が生じることがある。これらを解消するためには液晶の応答を早くすればよく、従来よりオーバードライブと呼ばれる機能を用いることによって液晶の応答を早める方法が知られている。オーバードライブとは、液晶パネルに表示している動画の階調が目標とする階調に到達していないときに、液晶パネルに印加している電圧を一時的に高めることによって不足している印加電圧を補い、目標とする階調を実現しようとする機能である。すなわち、液晶パネルへの印加電圧を一時的に高めることによって液晶の応答時間を短縮し、表示された動画の残像などを解消しようとする機能である。
【０００３】
従来の液晶表示装置では、前のフレームで不足分を補った電圧をそのまま現在表示されている動画のフレームに印加すると目標階調を通り越してしまうので、表示している動画のフレームが変わるとオーバードライブを実行しないようにしている。よって、１フレーム中にオーバードライブを実行するようにしている。
【０００４】
また、液晶は印加電圧に対する応答速度に温度依存性があり、低温になるにつれて応答速度が遅くなるという特性を有している。
【０００５】
従来の液晶表示装置では、温度変化に伴う動画の表示特性の悪化を改善するために、温度によってオーバードライブを実行する程度を切り替えることによって、どの温度領域に対しても最適な動画を表示させようとしていた。なお、従来の液晶表示装置におけるオーバードライブについての開示として、特開２００４−１３３１５９（特許文献１）、特開２００６−１９５２３１（特許文献２）、特開２００６−２４３３２５（特許文献３）、特開２００３−１４３５５６（特許文献４）、特開２００４−３０２０２３（特許文献５）がある。
【０００６】
【特許文献１】特開２００４−１３３１５９号公報
【特許文献２】特開２００６−１９５２３１号公報
【特許文献３】特開２００６−２４３３２５号公報
【特許文献４】特開２００３−１４３５５６号公報
【特許文献５】特開２００４−３０２０２３号公報
【発明の開示】
【発明が解決しようとする課題】
【０００７】
しかし、最近では液晶表示装置が屋外でも使用されるなど用途が拡大し、従来に想定されなかった低温環境下でも使用される頻度が増えてきた。従来の液晶表示装置では、液晶パネルへの電圧の印加を最大にしてオーバードライブを実行しても、１フレーム中に目標階調まで到達することができず、オーバードライブの効果が十分に得られないことがあり問題となっていた。
【０００８】
本発明は、このような問題を解決するためになされたもので、低温時における動画表示を改善し、どの温度領域においても最適な動画表示が可能な液晶表示装置を提供することを目的とする。
【課題を解決するための手段】
【０００９】
上記の課題を解決するために、本発明による液晶表示装置は、液晶パネルの前画像のデータであるフレームデータを記憶するデータ記憶回路と、データ記憶回路に記憶されているフレームデータと液晶パネルに表示する次画像の入力データとを比較し、液晶パネルに対してオーバードライブ出力するオーバードライブ計算回路とを備える液晶表示装置において、オーバードライブ出力は、複数のフレーム期間にわたって行われることを特徴とする。
【発明の効果】
【００１０】
本発明は、請求項１に記載のように、オーバードライブ出力を複数のフレーム期間にわたって行われることを特徴とするため、どの温度領域においても最適な動画表示が可能である。
【発明を実施するための最良の形態】
【００１１】
本発明の実施形態について、図面に基づいて以下に説明する。
【００１２】
〈実施形態１〉
図１は、本発明の実施形態による液晶表示装置全体の回路のブロック図である。図１に示すように、液晶パネル１の長手方向に対して、平行方向に配置されるゲート電極に液晶駆動回路（ゲートドライバＩＣ群）２が接続され、垂直方向に配置されるソース電極に液晶駆動回路（ソースドライバＩＣ群）３が接続されている。タイミングコントローラ４は液晶駆動回路（ゲートドライバＩＣ群）２と液晶駆動回路（ソースドライバＩＣ群）３とに接続されており、データ記憶回路（フレームメモリ）５および温度検出回路６からの信号情報に基づいて液晶駆動回路（ゲートドライバＩＣ群）２および液晶駆動回路（ソースドライバＩＣ群）３を制御している。
【００１３】
図２は、本発明の実施形態１による複数のフレーム期間にわたってオーバードライブする液晶表示装置の駆動回路のブロック図である。温度検出回路６は液晶パネル付近に配置され、液晶パネル周辺の温度を検出する。温度検出回路６によって検出された温度データは、フレームデータメモリ制御信号タイミング調整回路８、オーバードライブ係数選択回路１１、ドライバＩＣ制御信号タイミング調整回路１２の各々に送信される。
【００１４】
温度検出回路６の温度データに基づいて、フレームデータメモリ制御信号タイミング調整回路８はフレームデータメモリ制御信号をデータ記憶回路（フレームメモリ）５に送信し、データ記憶回路（フレームメモリ）５に記憶されている液晶パネル１に表示された前画像のフレームデータをデータ記憶回路（ラインメモリ）９を介して順次オーバードライブ計算回路１０に送信する。以上のような処理と同時に、液晶パネル１に表示する次画像の入力データ７を順次オーバードライブ計算回路１０に送信するとともに、データ記憶回路（フレームメモリ）５中の前画像のフレームデータが記憶されていた領域に順次上書きして記憶される。
【００１５】
また、オーバードライブ係数選択回路１１は、温度検出回路６から受信した温度データに基づいて液晶パネル１に対してオーバードライブ出力する程度を決定し、その結果をオーバードライブ計算回路１０に送信する。オーバードライブ計算回路１０では、目標階調に到達させるために、データ記憶回路（ラインメモリ）９に記憶されていた前画像のフレームデータと液晶パネル１に表示する次画像の入力データとを比較してオーバードライブ係数選択回路１１から受信したオーバードライブ係数を加味し、液晶駆動回路（ソースドライバＩＣ）３にデータを出力する。ドライバＩＣ制御信号タイミング調整回路１２は、温度検出回路６からの温度データに基づいて、出力制御信号を液晶駆動回路（ゲートドライバＩＣ）２および液晶駆動回路（ソースドライバＩＣ）３に出力する。なお、ドライバＩＣ制御信号タイミング調整回路１２は、タイミングコントローラ４に含まれる。
【００１６】
本発明の実施形態１において、温度検出回路６によって検出された温度データに基づいてオーバードライブを実行しても１フレームの期間中に目標階調まで到達しないほど低温の場合には、オーバードライブ係数選択回路１１によって２フレームの期間中に目標階調まで到達するようにオーバードライブ係数を調整する。
【００１７】
また、データ記憶回路（フレームメモリ）５への記憶方法について、データ記憶回路（フレームメモリ）５内の全てのフレームデータを書き換えるのではなく、フレームデータの奇数ラインおよび偶数ラインの各々に対応するデータ記憶回路（フレームメモリ）５の領域に別のフレームのフレームデータを記憶させることによって、後述するようにオーバードライブ出力を２フレームの期間中にわたって実行可能となる。
【００１８】
図３は、従来のオーバードライブにおける制御信号のタイミングチャート（奇数ＯＤＤフレーム、偶数ＥＶＥＮフレーム）である。図３に示すように、タイミングコントローラ４に入力されるＤＥＮＡ（入力データイネーブル期間）を参照して制御信号の出力タイミングを決定する。ここで、ＤＥＮＡ中に示されている１ｓｔ、２ｎｄ、３ｒｄ、・・・は、データ記憶回路（フレームメモリ）５内の１ライン記憶領域のライン番号を表している。液晶駆動回路（ゲートドライバＩＣ群）２において、ＳＴＶ（ゲートＩＣスタートパルス）がＨＩ状態のとき、ＣＬＫＶ（ゲートＩＣクロック）の立ち上がりエッジがくると１ｓｔラインのゲート電極がＯＮ状態になろうとする。また、次のＣＬＫＶの立ち上がりエッジがくるごとに次のラインへと１ラインずつずれてゲート電極がＯＮしようとする。このとき、ゲート電極がＯＮになるかＯＦＦのままかはＯＥ（ゲートＩＣ出力イネーブル信号）による。一方、液晶駆動回路（ソースドライバＩＣ群）３において、ＳＴＨ（ソースＩＣスタートパルス）がＨＩになって次にＨＩになるまでの間（ゲート電極の１ライン分の間）にＬＰ（ソースＩＣラッチパルス）をＨＩにして、液晶パネル１のソース電極に出力データを出力する。また、ＰＯＬ（ソースＩＣ極性判別信号）が示すように、液晶パネル１に印加される電圧の極性が反転していることが分かる。図３ではフレームが代わるごとに、またラインデータのラインが変わるごとに、極性が反転している。入力データ７は、メモリデータとしてデータ記憶回路（フレームメモリ）５に記憶される。出力データは、オーバードライブ計算回路１０においてデータ記憶回路（フレームメモリ）５に記憶されていた前画像のフレームのラインデータと入力データとから算出されたオーバードライブ計算値を、ラインゲート信号がＨＩのときに液晶パネル１に出力される。
【００１９】
図４は本発明の実施形態１における制御信号のタイミングチャート（ｎフレーム、ｎ+１フレーム）であり、図５は本発明の実施形態１における制御信号のタイミングチャート（ｎ+２フレーム、ｎ+３フレーム）である。図４と図５とを合わせてｎフレームからｎ+３フレームまでの制御信号のタイミングチャートを示している。
【００２０】
図４および図５に示す本発明の実施形態１と図３に示す従来手法との相違点の１つは、データ記憶回路への記憶の方法である。従来手法では、データ記憶回路（フレームメモリ）５に記憶されるデータは、フレームが変わるごとにメモリ内の全てのデータが書き換えられていた。これに対して、図４に示す本発明の実施形態１では、データ記憶回路（フレームメモリ）５の奇数ラインおよび偶数ラインに別のフレームのフレームデータを記憶させている。例えば、図４のｎフレームにおけるメモリデータでは、奇数ラインにｎフレーム時のデータ（入力データ７）が、偶数ラインにｎ−１フレーム時のデータ（前フレームのデータ）が記憶される。したがって、この場合、奇数ラインのデータのみが書き換えられることになる。そして、データが書き換えられる奇数ラインについてのみ、オーバードライブ計算回路１０によってオーバードライブ計算値が算出され、算出結果のデータを液晶パネル１に出力する。こうすることによって、複数のフレーム期間にわたってオーバードライブを実行し、目標階調の実現が可能となる。
【００２１】
また、液晶パネル１に印加する電圧の極性が偏ると、映像が焼きつくなどの問題が生じるため、図４、図５中のＰＯＬに示されているように、極性を変えるようにする。図３では、フレームが代わるごとに、またラインデータのラインが変わるごとに、極性が反転している。一方、図４では、ラインデータの２ラインごとに極性を反転させ、さらに、フレームが変わるごとに１ラインずつずれていくようにＰＯＬで制御されている。つまり、例えばｎフレームでは１ｓｔラインの極性が陽極であるとき、ｎ+２フレームでは陰極となる。なお、ｎ+１フレーム、ｎ+３フレームでは画素への書き込みを行わないようＳＴＨ、ＬＰ、ＯＥを制御しており前フレームで書き込んだ極性が維持されるため、ｎ+１フレームでは陽極、ｎ+３フレームでは陰極となる。図３では液晶パネル１への画素の書き込みのために、ＳＴＨ、ＬＰ、ＯＥを１ラインごとにＨＩにしているのに対して、図４では奇数ラインまたは偶数ラインにデータを出力させるために、ＳＴＨ、ＬＰ、ＯＥを２ラインごとにＨＩにしている。
【００２２】
これらのことから、本発明の実施形態１では、データ記憶回路（フレームメモリ）５の奇数ラインおよび偶数ラインに別のフレームのフレームデータを記憶させており、画素への書き込みを１ラインおきに行なうため、２つのフレーム期間にわたってのオーバードライブ出力が可能となって目標階調に到達することができて、消費電流も低減される。さらに、メモリ容量を増やさなくても従来と同様の効果が得られる。
【００２３】
〈実施形態２〉
図６は本発明の実施形態２における制御信号のタイミングチャート（ｎフレーム、ｎ+１フレーム）であり、図７は本発明の実施形態２における制御信号のタイミングチャート（ｎ+２フレーム、ｎ+３フレーム）である。図６と図７とを合わせてｎフレームからｎ+３フレームまでの制御信号のタイミングチャートを示している。液晶駆動回路（ソースドライバＩＣ群）３から出力される各々の信号の動作については、図４、図５と同様である。また、液晶表示装置の駆動回路は実施形態１と同様である。
【００２４】
本発明の実施形態２と実施形態１との相違点は、ＣＬＫＶ（ゲートＩＣクロック）のデューティー比やＯＥ（ゲートＩＣ出力イネーブル）を変えている点である。つまり、図６に示すように、ＣＬＫＶのＨＩ期間を長くし、ＯＥのＨＩ期間を短くする。こうすることによって、液晶パネル１の各ゲートラインのＯＮ時間が実施形態１よりも長くなり、それにともなって各ソースラインへの充電時間が長くなる。また、メモリデータへの記憶の方法などは実施形態１と同様である。
【００２５】
これらのことから、本発明の実施形態２では、データ記憶回路（フレームメモリ）５の奇数ラインおよび偶数ラインに別のフレームのフレームデータを記憶させており、画素への書き込みを１ラインおきに行なうため、２つのフレーム期間にわたってのオーバードライブ出力が可能となって目標階調に到達することができて、消費電流も低減される。さらに、液晶パネル１の各ゲートラインのＯＮ時間が長いため、各ソースラインへの充電時間が長くなる。
【００２６】
〈実施形態３〉
本発明の実施形態３について、液晶駆動回路（ゲートドライバＩＣ群）２から出力される各々の信号の動作については、図４、図５と同様である。また、液晶表示装置の駆動回路は実施形態１と同様である。
【００２７】
本発明の実施形態３の特徴は、従来のオーバードライブにおける制御信号のタイミングチャートにおけるＳＴＨ（ソースＩＣスタートパルス）、ＬＰ（ソースＩＣラッチパルス）と、本発明の実施形態１における制御信号のタイミングチャート（ｎフレーム〜ｎ+３フレーム）におけるＰＯＬ（ソースＩＣ極性判別信号）、ＳＴＶ（ゲートＩＣスタートパルス）、ＣＬＫＶ（ゲートＩＣクロック）、ＯＥ（ゲートＩＣ出力イネーブル信号）とメモリデータ制御を組み合わせたものである。
【００２８】
このように、制御信号の出力タイミングの調整を行うときに、液晶駆動回路（ソースドライバＩＣ群）３のＳＴＨおよびＬＰを従来のようにし、ＰＯＬと液晶駆動回路（ゲートドライバＩＣ群）２の制御信号のタイミングと、データ記憶回路（フレームメモリ）５の制御を実施形態１のように変えて実行しても、実施形態１と同様の効果が得られる。ただし、液晶パネル１の各ゲートラインがＯＦＦ状態であっても各ソースラインがＯＮ状態である場合があるので、消費電流を下げるような効果は望めない。
【００２９】
〈実施形態４〉
図８は本発明の実施形態４における制御信号のタイミングチャート（ｎフレーム、ｎ+１フレーム）であり、図９は本発明の実施形態４における制御信号のタイミングチャート（ｎ+２フレーム、ｎ+３フレーム）である。図８と図９とを合わせてｎフレームからｎ+３フレームまでの制御信号のタイミングチャートを示している。液晶駆動回路（ゲートドライバＩＣ群）２および液晶駆動回路（ソースドライバＩＣ群）３から出力される各々の信号の動作については、図４、図５と同様である。また、液晶表示装置の駆動回路は実施形態１と同様である。
【００３０】
本発明の実施形態４の特徴は、データ記憶回路が２フレーム容量分備えられていることである。つまり、実施形態１では、１フレーム容量分のデータ記憶回路（フレームメモリ）５の奇数ラインおよび偶数ラインに別のフレームのフレームデータを記憶させているのに対して、実施形態４では、２フレーム容量分のデータ記憶回路のうちのいずれか１フレーム容量分に記憶されているデータが全て書き換えられ、フレームが変わるともう一方の１フレーム容量分のデータ記憶回路に記憶されているデータが全て書き換えられることである。
【００３１】
これらのことから、本発明の実施形態４では、データ記憶回路を２フレーム容量分備え、２フレーム容量分のデータ記憶回路の各々１フレーム容量分に１フレーム分のデータを記憶させており、画素への書き込みを１ラインおきに行なうため、２つのフレーム期間にわたってオーバードライブを実行することが可能になって目標階調に到達することができる。
【００３２】
〈実施形態５〉
図１０は本発明の実施形態５における制御信号のタイミングチャート（ｎフレーム、ｎ+１フレーム）であり、図１１は本発明の実施形態５における制御信号のタイミングチャート（ｎ+２フレーム、ｎ+３フレーム）である。図１０と図１１とを合わせてｎフレームからｎ+３フレームまでの制御信号のタイミングチャートを示している。また、液晶表示装置の駆動回路は実施形態１と同様である。
【００３３】
本実施形態５の特徴は、メモリ容量を増やすことなく極低温時において使用できることであり、構成および動作方法は実施形態１を３フレーム期間のオーバードライブを可能とすることである。ＳＴＨ、ＬＰを３ライン毎に一回出力させ、さらにゲート電極のＯＮ期間をこれにあわせるようにＯＥを制御する。また、データ出力するラインだけをフレームメモリに書き換えていく。同様にして４ライン毎、５ライン毎などにすることも可能となる。
【００３４】
これらのことから、本発明の実施形態５では、データ記憶回路を２フレーム容量分備え、その各１フレーム容量分の奇数ラインおよび偶数ラインに別々のフレームのフレームデータを記憶させているため、最長で４つのフレーム期間にわたってオーバードライブを実行することが可能となり、低温時においても目標階調に到達させることができる。また、メモリ容量を増やすことなく極低温時における使用も可能となる。
【００３５】
〈実施形態６〉
図１２は本発明の実施形態６における制御信号のタイミングチャート（ＯＤＤフレーム、ＥＶＥＮフレーム）を示している。また、液晶表示装置の駆動回路は実施形態１と同様である。
【００３６】
本実施形態６と他の実施形態との相違点は、データ記憶回路（フレームメモリ）５へのデータの書き換えおよび液晶パネル１への出力を、ラインごとに実行するのではなくフレームごとに実行していることである。他の実施形態において高速の動画を液晶表示装置に表示する場合には、表示した像がＯＤＤラインとＥＶＥＮラインで２重になってノイズのようになることがある。しかし、本実施形態６では、データ記憶回路（フレームメモリ）５へのデータの書き換えおよび液晶パネル１への出力をフレーム単位で実行しており、表示した像が２重になることを防止している。
【００３７】
図１２に示すように、データ記憶回路（フレームメモリ）５へのデータの書き換えをＯＤＤフレームのときのみ実行し、２フレーム前のデータである前ＯＤＤフレームデータと入力ＯＤＤフレームデータとから算出されたオーバードライブ計算値を液晶パネル１に出力している。ＥＶＥＮフレームでは、データ記憶回路（フレームメモリ）５へのデータの書き換えは実行せず、さらに液晶パネル１への出力をしないようにゲート電極をＯＦＦにしている。よって、データ記憶回路（フレームメモリ）５へのデータの書き換えを実行しないフレーム期間中には前フレームデータがフレームメモリに保持されており、オーバードライブがかかった状態であればオーバードライブ量を保持した状態となる。ＥＶＥＮフレーム期間中にゲート電極をＯＦＦにするために、ＳＴＶをＬＯＷに固定するように制御している。また、ＥＶＥＮフレーム期間中にゲート電極をＯＦＦにする他の方法として、ＳＴＶを出力させてＯＥをＨＩに固定するか、またはＳＴＶを出力させてＣＬＫＶをＬＯＷに固定するなどしてもよい。
【００３８】
図１２において、データ記憶回路（フレームメモリ）５へのデータの書き換えを実行しない期間であるＥＶＥＮフレーム期間中であってもソースＩＣの制御信号が動作しているが、消費電力を下げるためにＥＶＥＮフレーム期間中はデータを含めて全てＬＯＷとなるようにしてもよい。また、３フレーム以上の期間にわたってオーバードライブをかけるために、データ記憶回路（フレームメモリ）５へのデータの書き込みおよび液晶パネル１への出力を実行しない期間を２フレーム、３フレームと増やすことも可能である。本実施形態６では、データ記憶回路（フレームメモリ）５へのデータの書き換えおよび液晶パネル１への出力をＯＤＤフレーム期間中にのみ実行していたが、ＥＶＥＮフレーム期間中にのみ実行しても同様の効果が得られる。
【００３９】
これらのことから、本発明の実施形態６では、データ記憶回路（フレームメモリ）５へのデータの書き換えおよび液晶パネル１への出力をフレーム単位で実行しており、それらを実行しない期間を複数フレーム間に設けることによって、複数フレーム期間にわたるオーバードライブが可能となる。そうすることによって、メモリ容量を増やすことなく複数フレームの期間中オーバードライブをかけることができ、極低温時における使用も可能となる。また、このような処理をフレーム単位で実行することによって、液晶表示装置に表示された像が２重になることを防止している。
【図面の簡単な説明】
【００４０】
【図１】本発明の実施形態による液晶表示装置全体の回路のブロック図である。
【図２】本発明の実施形態による複数のフレームにわたってオーバードライブする液晶表示装置の駆動回路のブロック図である。
【図３】従来のオーバードライブにおける制御信号のタイミングチャート（奇数ＯＤＤフレーム、偶数ＥＶＥＮフレーム）である。
【図４】本発明の実施形態１における制御信号のタイミングチャート（ｎフレーム、ｎ+１フレーム）である。
【図５】本発明の実施形態１における制御信号のタイミングチャート（ｎ+２フレーム、ｎ+３フレーム）である。
【図６】本発明の実施形態２における制御信号のタイミングチャート（ｎフレーム、ｎ+１フレーム）である。
【図７】本発明の実施形態２における制御信号のタイミングチャート（ｎ+２フレーム、ｎ+３フレーム）である。
【図８】本発明の実施形態４における制御信号のタイミングチャート（ｎフレーム、ｎ+１フレーム）である。
【図９】本発明の実施形態４における制御信号のタイミングチャート（ｎ+２フレーム、ｎ+３フレーム）である。
【図１０】本発明の実施形態５における制御信号のタイミングチャート（ｎフレーム、ｎ+１フレーム）である。
【図１１】本発明の実施形態５における制御信号のタイミングチャート（ｎ+２フレーム、ｎ+３フレーム）である。
【図１２】本発明の実施形態６における制御信号のタイミングチャート（ＯＤＤフレーム、ＥＶＥＮフレーム）である。
【符号の説明】
【００４１】
１  液晶パネル、２  液晶駆動回路（ゲートＤｒＩＣ群）、３  液晶駆動回路（ソースＤｒＩＣ群）、４  タイミングコントローラ、５  データ記憶回路（フレームメモリ）、６  温度検出回路、７  入力データ、８  フレームデータメモリ制御信号タイミング調整回路、９  データ記憶回路（ラインメモリ）、１０  オーバードライブ計算回路、１１  オーバードライブ係数選択回路、１２  ドライバＩＣ制御信号タイミング調整回路。
【図１】
2008158472.tif 000003
【図２】
2008158472.tif 000004
【図３】
2008158472.tif 000005
【図４】
2008158472.tif 000006
【図５】
2008158472.tif 000007
【図６】
2008158472.tif 000008
【図７】
2008158472.tif 000009
【図８】
2008158472.tif 000010
【図９】
2008158472.tif 000011
【図１０】
2008158472.tif 000012
【図１１】
2008158472.tif 000013
【図１２】
2008158472.tif 000014